(57)【特許請求の範囲】
【請求項１】
ズームレンズを介して入射した被写体像を撮像して画像データを生成する撮像手段と、
前記撮像手段で生成された前記画像データにより示される画像と前記画像の所定位置を示す枠とを表示する表示手段と、
前記画像における特定領域の位置と前記画像における前記枠の位置との関係と前記画像における前記特定領域の大きさと前記画像における前記枠の大きさとの関係とを判定する判定手段と、
前記判定手段により前記特定領域の位置と前記枠の位置との関係が所定範囲にあると判定された場合、前記判定手段により判定された前記特定領域の大きさと前記枠の大きさとの関係に基づいて前記ズームレンズのズーミング動作を行うズーム制御手段と、
前記ズーミング動作が行われているとき、前記撮像手段に撮像動作を複数回行わせる撮像制御手段と、
を備えることを特徴とするデジタルカメラ。
【請求項２】
請求項１に記載のデジタルカメラにおいて、
前記ズーム制御手段は、前記判定手段により前記特定領域の大きさが前記枠の大きさよりも小さいと判定された場合、前記特定領域の大きさを拡大する方向に前記ズーミング動作を行い、前記判定手段により前記特定領域の大きさが前記枠の大きさよりも大きいと判定された場合は、前記特定領域の大きさを縮小する方向に前記ズーミング動作を行うことを特徴とするデジタルカメラ。
【請求項３】
請求項１又は請求項２に記載のデジタルカメラにおいて、
前記ズーム制御手段は、前記特定領域の大きさと前記枠の大きさとが一致するように前記ズーミング動作を行うことを特徴とするデジタルカメラ。
【請求項４】
請求項１から請求項３のいずれか一項に記載のデジタルカメラにおいて、
前記表示手段に表示する前記枠を示す枠データを記憶している記憶手段を備えることを特徴とするデジタルカメラ。
【請求項５】
請求項４に記載のデジタルカメラにおいて、
前記記憶手段は、形状の異なる複数の枠データを記憶していることを特徴とするデジタルカメラ。
【請求項６】
請求項１から請求項５のいずれか一項に記載のデジタルカメラにおいて、
前記表示手段に表示する前記枠を作画する枠設定手段を備えることを特徴とするデジタルカメラ。
【請求項７】
請求項１から請求項６のいずれか一項に記載のデジタルカメラにおいて、
前記判定手段は、前記画像における人物領域の位置と前記画像における前記枠の位置との関係と前記画像における前記人物領域の大きさと前記画像における前記枠の大きさとの関係とを判定することを特徴とするデジタルカメラ。
【請求項８】
被写体像を形成するズーム光学系と、
前記被写体像を撮像して被写体画像データを生成する撮像手段と、
前記撮像手段の撮影タイミングを制御する撮影制御手段と、
前記被写体画像データに基づく被写体画像を表示するとともに、この表示された被写体画像に重ね合わせて構図枠を表示する表示手段と、
前記構図枠と前記被写体画像中の主要被写体像とを比較して前記構図枠と前記主要被写体像との相対的な位置関係及び相対的な大きさの関係を判定する比較判定手段と、
前記被写体画像を拡大し又は縮小するように前記ズーム光学系のズーミング動作を制御するズーム制御手段と、を備え、
前記ズーム制御手段は、前記比較判定手段により前記構図枠と前記主要被写体像との相対的な位置関係が所定範囲にあると判定された時に、前記比較判定手段により判定された前記相対的な大きさの関係に基づき前記ズーム光学系が前記ズーミング動作を行うように制御し、
前記ズーム制御手段は、前記比較判定手段により前記主要被写体像が前記構図枠よりも小さいと判定された場合は、前記主要被写体像を拡大する方向に前記ズーム光学系のズーミング動作を制御し、前記主要被写体像が前記構図枠よりも大きいと判定された場合は、前記主要被写体像を縮小する方向に前記ズーム光学系のズーミング動作を制御し、
前記ズーム制御手段は、前記ズーム光学系のズーミング動作の途中で、前記構図枠の大きさと前記主要被写体像の大きさとが一致するように前記ズーミング動作を制御し、
前記撮影制御手段は、前記ズーミング動作中に複数回の撮影を行うように前記撮像手段の撮影タイミングを制御することを特徴とするデジタルカメラ。
【発明の詳細な説明】
【技術分野】
【０００１】
本発明は、デジタルカメラに係り、特に、構図枠を設定して撮影する機能を有するデジタルカメラに関する。
【背景技術】
【０００２】
従来、被写体の輪郭を表わす図形をモニタ上に表示し、当該図形内に主要被写体の像が入った時に自動的に撮影を行う撮像装置が知られている（例えば、特許文献１参照）。
【先行技術文献】
【特許文献】
【０００３】
【特許文献１】特開２００８−２３６０１１号公報
【発明の概要】
【発明が解決しようとする課題】
【０００４】
しかしながら、特許文献１の撮像装置では、主要被写体像が図形内に入ると自動的に撮影動作が行われるが、その主要被写体像と図形とが完全に合致するのは稀であり、主要被写体の画像が撮影者の意図した大きさよりも大き過ぎたり、又は小さ過ぎたりというように構図に不満が生じるといった問題が存在する。
【課題を解決するための手段】
【０００５】
請求項１の発明によるデジタルカメラは、ズームレンズを介して入射した被写体像を撮像して画像データを生成する撮像手段と、前記撮像手段で生成された前記画像データにより示される画像と前記画像の所定位置を示す枠とを表示する表示手段と、前記画像における特定領域の位置と前記画像における前記枠の位置との関係と前記画像における前記特定領域の大きさと前記画像における前記枠の大きさとの関係とを判定する判定手段と、前記判定手段により前記特定領域の位置と前記枠の位置との関係が所定範囲にあると判定された場合、前記判定手段により判定された前記特定領域の大きさと前記枠の大きさとの関係に基づいて前記ズームレンズのズーミング動作を行うズーム制御手段と、前記ズーミング動作が行われているとき、前記撮像手段に撮像動作を複数回行わせる撮像制御手段と、を備えることを特徴とする。
請求項８の発明によるデジタルカメラは、被写体像を形成するズーム光学系と、前記被写体像を撮像して被写体画像データを生成する撮像手段と、前記撮像手段の撮影タイミングを制御する撮影制御手段と、前記被写体画像データに基づく被写体画像を表示するとともに、この表示された被写体画像に重ね合わせて構図枠を表示する表示手段と、前記構図枠と前記被写体画像中の主要被写体像とを比較して前記構図枠と前記主要被写体像との相対的な位置関係及び相対的な大きさの関係を判定する比較判定手段と、前記被写体画像を拡大し又は縮小するように前記ズーム光学系のズーミング動作を制御するズーム制御手段と、を備え、前記ズーム制御手段は、前記比較判定手段により前記構図枠と前記主要被写体像との相対的な位置関係が所定範囲にあると判定された時に、前記比較判定手段により判定された前記相対的な大きさの関係に基づき前記ズーム光学系が前記ズーミング動作を行うように制御し、前記ズーム制御手段は、前記比較判定手段により前記主要被写体像が前記構図枠よりも小さいと判定された場合は、前記主要被写体像を拡大する方向に前記ズーム光学系のズーミング動作を制御し、前記主要被写体像が前記構図枠よりも大きいと判定された場合は、前記主要被写体像を縮小する方向に前記ズーム光学系のズーミング動作を制御し、前記ズーム制御手段は、前記ズーム光学系のズーミング動作の途中で、前記構図枠の大きさと前記主要被写体像の大きさとが一致するように前記ズーミング動作を制御し、前記撮影制御手段は、前記ズーミング動作中に複数回の撮影を行うように前記撮像手段の撮影タイミングを制御することを特徴とする。
【発明の効果】
【０００６】
本発明のデジタルカメラによれば、構図枠と主要被写体像との相対的な位置関係が所定範囲に入っているときにズーミング動作を行いながら複数回の撮影を行うので、その中から撮影者の意図に最も適った構図の画像を取得することができる。
【図面の簡単な説明】
【０００７】
【図１】本発明の第１の実施の形態に係るデジタルカメラの構成を模式的に示すブロック図である。
【図２】構図枠の作成例を示すディスプレイの表示画面である。
【図３】構図枠と被写体像の大きさの関係を模式的に示す表示画面であり、図３（ａ）は構図枠＞被写体像、図３（ｂ）は構図枠＝被写体像、図３（ｃ）は構図枠＜被写体像の場合を示す。
【図４】第１の実施の形態に係るデジタルカメラの動作の流れを示すフローチャートである。
【図５】本発明の第２の実施の形態に係るデジタルカメラの構成を模式的に示すブロック図である。
【図６】構図枠の配置を模式的に示す表示画面であり、図６（ａ）、図６（ｂ）、図６（ｃ）、図６（ｄ）の順に構図枠が右方向へ移っていることを示す。
【図７】本発明の第３の実施の形態に係るデジタルカメラの構成を模式的に示すブロック図である。
【図８】複数の構図枠の配置を模式的に示す表示画面であり、図８（ａ）〜図８（ｆ）は撮影された被写体画像、図８（ｇ）は合成画像を示す。
【発明を実施するための形態】
【０００８】
−第１の実施の形態−
以下、本発明の実施の形態によるデジタルカメラについて、図面を参照しながら説明する。
図１に示されるように、デジタルカメラ１００は、撮影レンズ１１、レンズ駆動部１２、撮像素子１３、バッファメモリ１４、画像処理部１５及び画像記録部１６を備える。また、デジタルカメラ１００は、ＣＰＵ（Ｃｅｎｔｒａｌ  Ｐｒｏｃｅｓｓｉｎｇ  Ｕｎｉｔ）１７、ＲＯＭ（Ｒｅａｄ  Ｏｎｌｙ  Ｍｅｍｏｒｙ）１８、バス１９、ディスプレイ３１及び操作部材３２を備える。画像処理部１５、画像記録部１６、ＣＰＵ１７、ＲＯＭ１８、ディスプレイ３１及び操作部材３２は、バス１９を介して互いに接続されている。
【０００９】
撮影レンズ１１は、ズームレンズやフォーカスレンズを含む複数のレンズで構成され、被写体光Ｌ１を入射させて被写体像を撮像素子１３上に結像する。図１では簡単のため、撮影レンズ１１は１枚のレンズで示されている。レンズ駆動部１２は、ズーミングや焦点調節のために撮影レンズ１１の光軸に沿ってズームレンズやフォーカスレンズを駆動する。撮像素子１３は、結像した被写体像を光電変換することにより被写体像に応じた画像信号を生成する。
【００１０】
撮像素子１３から出力される画像信号は、バッファメモリ１４を介して画像処理部１５に送られ、画像処理部１５は、この画像信号に対して、補間、色温度補正、階調補正、二値化などの画像処理や、自動ゲイン補正、画像データの合成などの種々の画像処理を施して画像データを生成する。撮影開始前の段階では、撮像素子１３からの画像信号は、バッファメモリ１４、画像処理部１５を介してディスプレイ３１に送られ、スルー画像として表示される。撮影段階では、撮像素子１３からの画像信号は、バッファメモリ１４、画像処理部１５を介して画像記録部１６にて記録される。
【００１１】
画像記録部１６は、画像データとその画像に関する撮影条件、撮影日時などの属性情報とを関連付けて不揮発性の記憶媒体１６ａに記録する。これらの画像データに基づく再生画像はディスプレイ３１の表示画面３１ａに表示される。
【００１２】
ＣＰＵ１７は、構図枠設定部２１、顔検出部２２、比較判定部２３、ズーム制御部２４、撮影制御部２５及び表示制御部２６として機能する。また、ＣＰＵ１７は、レンズ駆動部１２や撮像素子１３などを制御する。
ＲＯＭ１８は、構図枠データ記憶部２７及び顔データ記憶部２８として機能する。
【００１３】
構図枠設定部２１は、撮影者が操作部材３２を操作して入力した図形を構図枠として設定するものである。図２に示されるように、構図枠４１は、被写体画像中の主要被写体の輪郭線に対応する図形であり、構図枠４１は、スルー画像を表示しているディスプレイ３１の表示画面３１ａに、そのスルー画像に重畳して表示される。
【００１４】
表示画面３１ａには後述するタッチパネルが配設されている。撮影者はこのタッチパネル上で、十字形アイコン４２ａと三角形アイコン４２ｂと四角形アイコン４２ｃと円形アイコン４２ｄとを含むツールパレット４２から、所定のアイコン、図２の例では、円形アイコン４２ｄを選んでコピーして構図枠４１を設定することができる。これらの基本構図枠のデータは、構図枠データ記憶部２７により記憶されている。
【００１５】
また、構図枠設定部２１は、ツールパレット４２から所定のアイコン４２ａ〜４２ｄを選択する代わりに、タッチペン４４を用いて任意の形状の構図枠を作画することもできる。この例として、図２の表示画面３１ａにはタッチペン４４で作画された構図枠４３も併せて示す。この構図枠４３は、樹木の形状に対応しており、樹木を主要被写体とした場合に有効である。
【００１６】
構図枠４１が確定すると、表示画面３１ａにおける構図枠４１の位置アドレスはバッファメモリ１４に記憶される。この構図枠４１の位置アドレスは、構図枠４１の表示画面３１ａ上での位置情報と構図枠の大きさ情報とを含むものである。
【００１７】
顔検出部２２は、主要被写体として人物の顔を検出するものであり、画像処理部１５を介して入力された被写体のスルー画像データを顔データ記憶部２８に予め記憶されている顔データと比較することにより、スルー画像中の被写体人物の顔を主要被写体として検出する。
顔データ記憶部２８は、例えば、眉、眼、鼻、唇の形状に関する特徴点のデータを記憶している。
顔検出には、例えば、特開２００１−１６５７３号公報に開示されている検出手法を用いることができる。この検出手法は、入力画像中から特徴点を抽出して被写体の顔領域、顔の大きさ等を検出するものである。特徴点としては、眉、眼、鼻、唇の各端点、および顔の輪郭点、例えば頭頂点や顎の下端点が挙げられる。
【００１８】
顔検出部２２によって検出された主要被写体像は、画像処理部１４によりその輪郭線が確定すると、主要被写体の輪郭線の位置アドレスもバッファメモリ１４に記憶される。
この主要被写体の輪郭線の位置アドレスも構図枠４１の表示画面３１ａ上での位置情報と構図枠の大きさ情報とを含むものである。
【００１９】
比較判定部２３は、表示画面３１ａにおける構図枠４１の位置アドレスと主要被写体像の輪郭線の位置アドレスとを比較して両者の相対的な位置関係及び相対的な大きさの関係を判定し、主要被写体像が構図枠４１内に入った時に、好ましくは、主要被写体像の中心が構図枠４１の中心にほぼ一致した時に、判定信号を出力する。この判定信号は、主要被写体像の中心が構図枠４１の中心に一致したことを示す相対的な位置情報と、主要被写体像の大きさと構図枠４１の大きさとの相対的な大きさ関係を示す相対的な大きさ情報とを含む。
【００２０】
ズーム制御部２４は、比較判定部２３の判定信号に応じて、撮影レンズ１１のズームレンズを望遠側、或いは広角側に移動させるズーミング動作におけるズーム量、すなわち焦点距離の可変範囲を制御する。更に詳述すると、ズーム制御部２４は、上記の判定信号が、主要被写体像の大きさが構図枠４１の大きさよりも小さいことを示す場合には、ズームレンズを望遠側に駆動するズームアップ動作を、逆に、主要被写体像の大きさが構図枠４１の大きさよりも大きいことを示す場合には、ズームレンズを広角側に駆動するズームダウン動作を、それぞれ行う。ズームアップ動作によって表示画面３１ａ上の被写体像は拡大し、反対に、ズームダウン動作によって被写体像は縮小する。
【００２１】
図３（ａ）は主要被写体像５１ａの大きさが構図枠４１よりも小さい場合、図３（ｂ）は主要被写体像５１ｂの大きさが構図枠４１とほぼ等しい場合、図３（ｃ）は主要被写体像５１ｃの大きさが構図枠４１よりも大きい場合の画面表示を示している。表示画面３１ａ上で構図枠４１の大きさは一定であるので、ズームアップ動作によって、主要被写体像が図３（ａ）の状態から図３（ｂ）を経て図３（ｃ）の状態に拡大し、逆に、ズームダウン動作によって、主要被写体像が図３（ｃ）の状態から図３（ｂ）の状態を経て図３（ａ）の状態へ被写体像を縮小することができる。
【００２２】
撮影制御部２５は、比較判定部２３の判定信号に応じて、ズーム制御部２４によるズームレンズのズーミング動作中にフォーカスレンズや撮像素子１３を駆動して連続的に複数回の自動撮影を行わせる。更に詳述すると、ズーム制御部２４が比較判定部２３の判定信号に応じてズーミング動作している最中に、撮影制御部２５は、比較判定部２３の判定信号が、主要被写体像の大きさと構図枠の大きさとが所定の関係になったことを示した時に、連続的な一連の撮影動作を実行させる。
【００２３】
例えば、比較判定部２３は、主要被写体像の大きさが構図枠の大きさの例えば９０％又は１１０％となった時に判定信号を送出し、撮影制御部２５は、約９０％〜１１０％の間で、連続的な複数回の自動撮影を実行する。具体的には、撮影制御部２５は、ズームアップ動作の際には、主要被写体像の大きさが構図枠の大きさの約９０％になった時からその後に約１１０％になるまでの時間の間に、複数回の自動撮影動作を実行し、ズームダウン動作の際には、主要被写体像の大きさが構図枠の大きさの約１１０％になった時からその後に約９０％になるまでの時間の間に、複数回の自動撮影動作を実行する。なお、この複数回の自動撮影は、上記の９０％又は１１０％を示す判定信号に基づき、ズーム駆動速度に応じて所定の時間間隔ごとに自動撮影を繰り返すことによって達成される。
【００２４】
表示制御部２６は、ディスプレイ３１による表示を制御する。すなわち、表示制御部２６は、ディスプレイ３１がスルー画像の表示や、画像記録部１６のメモリ１６ａに保存された被写体画像の再生表示を制御する。また、表示制御部２６は、撮影者が入力した構図枠４１を所定の位置や大きさで、ディスプレイ３１に表示させる。
【００２５】
ディスプレイ３１の表示画面３１ａは、液晶パネルのような視覚表示機能とタッチパッドのような位置入力機能とを組み合わせたタッチパネルを有する。従って、表示画面３１ａは、上述のような画像や文字の表示の他、指や電子ペンでタッチパネル上をタッチすることにより位置入力ができるので、図形を描画して、これを画像や文字に重ね合わせて表示することもできる。
【００２６】
操作部材３２は、上述のタッチパネル、不図示のシャッターレリーズボタン、不図示のメニューボタン、不図示の選択／決定ボタンなどを含み、撮影者が操作部材３２を操作することにより、情報入力、シャッターレリーズ、モード切替え、メニュー選択／決定などの各操作に応じた操作信号がＣＰＵ１７へ送出される。
【００２７】
以上のように構成されたデジタルカメラの動作について図１〜図４を参照しながら説明する。
撮影者が操作部材３２を操作して、構図枠自動撮影モードを設定すると、撮像素子１３によって撮像された被写体のスルー画像がディスプレイ３１の表示画面３１ａに表示される。撮影者は、図２に示したように、ディスプレイ３１の表示画面３１ａでもあるタッチパネルを操作して、ツールパレット４２から例えば、円形アイコン４２ｄをドラッグして所定の大きさの構図枠４１を表示画面３１ａの所定の位置に配置する。こうして、表示画面３１ａには、スルー画像に重畳して構図枠４１が表示される。
【００２８】
他方、顔検出部２２は、スルー画像から被写体画像を顔データ記憶部２８の顔データと比較することによって、主要被写体として、被写体人物の顔を検出する。
こうして検出された主要被写体像の輪郭線を以下のように特定する。即ち、輪郭線の抽出は、主要被写体画像中のＧｒ／Ｇｂ画素出力に着目し、画素ごとの微分値を求め、二値化する公知の方法を用いる。二値化処理は、画像処理部１５によって実行される。
【００２９】
図４のフローチャートに示されるように、ステップＳ１１では、主要被写体像中のＧｒ／Ｇｂ画素ごとの微分値を算出する。ステップＳ１２では、算出した全画素の微分値の平均値を算出し、これを閾値とする。ステップＳ１３からＳ１７までは二値化画像の作成ループである。すなわち、ステップＳ１４では、Ｇｒ／Ｇｂ画素ごとに微分値と閾値とを比べ、微分値が閾値よりも大きい場合は、画素値が”Ｈｉｇｈ“と判定し（ステップＳ１５）、微分値が閾値よりも小さい場合は、画素値が”Ｌｏｗ“と判定する（ステップＳ１６）。ステップＳ１３からＳ１７までの動作で、画素値が”Ｈｉｇｈ“と判定された画素の集団が主要被写体像の輪郭線として決定される。
【００３０】
次に、比較判定部２３は、表示画面３１ａ上で、主要被写体像の輪郭線の位置アドレスと構図枠４１の位置アドレスとを比較し、両者の相対的な位置関係を判定する。
撮影者が例えばフレーミング動作を行って主要被写体像の中心が構図枠４１の中心にほぼ一致すると、又は、被写体人物が移動して主要被写体である顔の中心が構図枠４１の中心にほぼ一致すると、図４のステップＳ１８において、比較判定部２３が主要被写体像の輪郭線の位置が構図枠４１の位置にほぼ一致したと判定して、判定信号を送出する。
【００３１】
ステップＳ１９では、比較判定部２３は、主要被写体像の輪郭線が囲む面積Ａ１と構図枠が囲む面積Ａ２とを比較し、例えば、面積比Ａ１／Ａ２が１００％よりも小さいか否かを判定する。ステップＳ１９において、肯定判定の場合には、ステップＳ２０へ進んで面積比Ａ１／Ａ２が９０％以上であるか否かを判定し、逆に否定判定の場合には、ステップＳ２１に進んで面積比Ａ１／Ａ２が１１０％以下であるか否かを判定する。
【００３２】
ステップＳ２０において肯定判定である場合、即ち、面積比Ａ１／Ａ２が９０％〜１００％である場合には、ステップＳ２２に進んで、ズーム制御部２４がズームアップ動作を行いながら、撮影制御部２５が所定の時間間隔で連続的に複数回の撮影動作を行う。この撮影動作は、ズームアップ動作によって面積比Ａ１／Ａ２が１１０％になると終了する。これと同時に、ズーム制御部２４もズームアップ動作を終了する。
【００３３】
ステップＳ２０において否定判定の場合、即ち、面積比Ａ１／Ａ２が９０％未満である場合には、ステップＳ２３に進んでズーム制御部２４がズームアップ動作を行う。このズームアップ動作によって、面積比Ａ１／Ａ２が９０％に達すると、ステップＳ２４において、比較判定部２３がこれを判定し、ステップＳ２５において、ズーム制御部２４がズームアップ動作を継続しつつ、撮影制御部２５が、面積比Ａ１／Ａ２が９０％〜１１０％の間で、所定の時間間隔で連続的に複数回の撮影動作を行う。この一連の撮影動作が終了すると同時に、ズーム制御部２４もズームアップ動作を終了する。
【００３４】
ステップＳ２１において肯定判定である場合、即ち面積比Ａ１／Ａ２が１００％〜１１０％の間である場合には、ステップＳ２６に進んで、ズーム制御部２４がズームダウン動作を行いながら、撮影制御部２５が所定の時間間隔で連続的に複数回の撮影動作を行う。この一連の撮影動作は、面積比Ａ１／Ａ２が９０％になると終了する。この一連の撮影動作の終了と同時に、ズーム制御部２４がズームダウン動作を終了する。
【００３５】
ステップＳ２１において否定判定の場合、即ち面積比Ａ１／Ａ２が１１０％超である場合には、ステップＳ２７に進んでズーム制御部２４がズームダウン動作を行う。このズームダウン動作によって、面積比Ａ１／Ａ２が１１０％に達すると、ステップＳ２８において、比較判定部２３がこれを判定し、ステップＳ２９において、ズーム制御部２４がズームダウン動作を継続しつつ、撮影制御部２５が、面積比Ａ１／Ａ２が１１０％〜９０％の間で、所定の時間間隔で連続的に複数回の撮影動作を行う。この撮影動作の終了と同時に、ズーム制御部２４がズームダウン動作を終了する。
【００３６】
以上に説明したステップＳ２２、ステップＳ２５、ステップＳ２６、ステップＳ２９のいずれかの終了によりデジタルカメラの動作が終了する。
なお、連続撮影の回数は、面積比が９０％〜１１０％の間で、４回又は５回が適当である。一定時間間隔毎に、撮影動作を行うこともできるし、面積比Ａ１／Ａ２が所定の値になった時に、例えば、９０％、９５％、１００％、１０５％、１１０％になった時に、撮影するようにしてもよい。
【００３７】
上述の実施の形態では、図４のステップＳ２２では、多くの場合に面積比Ａ１／Ａ２が９０％と１００％との中間の値をとり、ズーム制御部２４がズームアップ動作を行うと共に、撮影制御部２５が所定の時間間隔で連続的に撮影動作を行うことになる。従って、面積比９０％の時の撮影を行うことができなくなる。同様に、ステップ２６では、多くの場合に面積比１１０％の時の撮影を行うことができなくなる。
そこで、このようなことを防ぐために、ステップ２２では、ズーム制御部２４が最初に面積比Ａ１／Ａ２が９０％になるまでズームダウン動作を行って、その後、ズームアップ動作を行うと共に、撮影制御部２５が、面積比９０％〜１１０％の間で連続撮影動作を行うようにしてもよい。
同様に、ステップＳ２６では、ズーム制御部２４が最初に面積比Ａ１／Ａ２が１１０％になるまでズームアップ動作を行って、その後、ズームダウン動作を行うと共に、撮影制御部２５が、面積比１１０％〜９０％の間で、連続撮影動作を行うようにしてもよい。
ステップＳ２２及びステップＳ２６の動作を上述のように行うことによって、ステップＳ２２とＳ２６における連続撮影回数をステップＳ２５及びＳ２９における連続撮影回数と同数かつ同一間隔とすることができる。
【００３８】
なお、複数回の連続撮影が完了すると、撮影された一連の被写体画像データは、シャッタースピード、絞り値、焦点距離、撮影日時などの属性データが付加されて画像記録部１６に記録される。
【００３９】
第１の実施の形態のデジタルカメラ１００は以下の作用効果を奏する。
（１）構図枠と主要被写体像との相対的な位置関係が近接していると判定された時に、所定のズーム量のズーミング動作を行い、そのズーミング動作中に複数回の撮影を行うので、撮影者の意図に最も適った構図の被写体画像を確実に取得できる。
（２）タッチパネルを用いて任意の構図枠を短時間で容易に入力できるので、撮影すべき被写体の状況に適した構図枠をその場で設定することができる。
【００４０】
第１の実施の形態の変形例は以下の通りである。
（１）撮影制御部２５は、主要被写体像の大きさが構図枠の大きさの約９０％〜１１０％の間で、連続的な複数回の自動撮影を実行したが、この主要被写体像の大きさが構図枠の大きさとの相対的な大きさの関係は、約９０％〜１１０％に限らず、約８５％〜１１５％や約８０％〜１２０％や約７５％〜１２５％など、種々の範囲に設定してもよい。
（２）ズーミング動作は、構図枠の大きさと主要被写体像の輪郭線の大きさとが最も合致するズーム位置で停止するように設定してもよいし、最も合致する点を超えたズーム位置で停止するように設定してもよい。
（３）ズーミング動作中の撮影は、ズーミング動作を連続的に行いながら撮影してもよいし、撮影の瞬間だけズーミング動作を停止して撮影してもよい。
（４）主要被写体像の輪郭線が複雑な形状であり、このため、構図枠の形状とかなり異なっている場合がある。そのような場合には、主要被写体像の大きさと構図枠の大きさとの相対的な関係を判定する為に、比較判定部２３は、構図枠の位置アドレスと主要被写体像の輪郭線の位置アドレスとの合致比率を検出してもよい。合致比率とは、構図枠上にＮ箇所の測定点を定め、主要被写体像の輪郭線が構図枠上の測定点にほぼ合致した数がｎ個であれば、ｎ／Ｎで表わされる。主要被写体像の大きさが構図枠の大きさに近づくに従い、合致比率が大きくなるので、この合致比率を検出することによって、主要被写体像の大きさと構図枠の大きさとの割合を求めることができる。
【００４１】
−第２の実施の形態−
図５は、本発明の第２の実施の形態によるデジタルカメラ２００の構成を示すブロック図である。デジタルカメラ２００も基本構成は第１の実施形態のデジタルカメラ１００と同じであるので、対応する構成部品には同一符号を付し説明を省略する。
【００４２】
第２の実施の形態は、撮影画面に複数の構図枠を配置して、被写体人物がそれらの構図枠に入る毎に自動的に連続撮影を行うもので、これによって、被写体背景に対して被写体人物の位置が異なった複数枚の画像を撮影することができる。
【００４３】
構図枠設定部２１は、ディスプレイ３１に表示されたスルー画像に重畳して複数の構図枠を1個づつ、位置を変えて設定する。
移動方向指示部３３は、カメラの前面（被写体側の面）に配設したＬＥＤなどの発光表示素子から構成され、被写体人物に左右方向に移動すべき方向を指示する。このような移動方向指示部３３は、例えばカメラの前面に右方向の矢印表示体と左方向の矢印表示体とをＬＥＤ素子によって構成することができる。
また、移動方向指示部３３は、上述のような視覚表示素子の代わりに、小型スピーカーやブザーのような音声発生器により音声によって移動方向を指示するものでもよい。
【００４４】
次に、この実施の形態のデジタルカメラの動作を説明する。
構図枠設定部２１は、表示制御部２６を介して、図６（ａ）に示すように被写体のスルー画像が表示されている表示画面３１ａの所定の位置に構図枠４６ａを設定し、表示制御部２６は、被写体のスルー画像と構図枠４６ａとを重畳表示する。顔検出部２２は、被写体人物の顔画像５２、即ち主要被写体像５２を検出し、比較判定部２３は、構図枠４６ａの位置と顔検出部２２によって検出された顔画像５２の位置とを比較して、構図枠４６ａに対する被写体人物像５２の位置ズレ方向を判定する。
【００４５】
移動方向指示部３３は、比較判定部２３が判定した位置ズレ方向に基づき、被写体人物に右方向又は左方向に移動するように、視覚表示指示、又は音声指示する。図６（ａ）では、移動方向指示部３３は、表示画面３１ａ上で被写体人物が左方向に移動するように、指示する。
この指示に従って、被写体人物が表示画面３１ａ上で左方向に移動して、顔画像５２が構図枠４６ａ内に重なる、即ち、顔画像５２の中心が構図枠４６ａの中心にほぼ一致すると、比較判定部２３がその一致を判定する。比較判定部２３によって一致が判定されると、撮影制御部２５は、自動的に撮影動作を開始し、この撮影画像データは、画像記録部１６に記憶される。
【００４６】
こうして第１回目の撮影が終了すると、構図枠設定部２１は、表示制御部２６を介して、図６（ｂ）に示すように被写体のスルー画像が表示されている表示画面３１ａの所定の位置に２番目の構図枠４６ｂを設定し、表示制御部２６は、被写体のスルー画像と構図枠４６ｂとを重畳表示する。
顔検出部２２は、被写体人物の顔画像５２を検出し、比較判定部２３は、構図枠４６ｂの位置と顔検出部２２によって検出された顔画像５２の位置とを比較して、構図枠４６ｂに対する主要被写体像５２の位置ズレ方向を判定する。移動方向指示部３３は、比較判定部２３が判定した位置ズレ方向に基づき、被写体人物に右方向に移動するように、視覚表示指示、又は音声指示する。
【００４７】
この指示に従って、被写体人物が表示画面３１ａ上で左方向に移動して、顔画像５２の中心が構図枠４６ｂの中心にほぼ一致すると、比較判定部２３がその一致を判定する。比較判定部２３によって一致が判定されると、撮影制御部２５は、第２回目の撮影動作を自動的に開始し、この撮影画像データは、画像記録部１６に記憶される。
以下全く同様に、撮影動作が終了すると、図６（ｃ）及び（ｄ）に示すように表示画面３１ａに第３の構図枠４６ｃ及び第４の構図枠４６ｄを順次表示して、それぞれ、第３回目の撮影及び第４回目の撮影が自動的に行われる。
【００４８】
なお、上述の実施の形態では、構図枠設定部２１は、事前に定められた形状及び大きさの構図枠を、予め定められた表示画面３１ａ上の位置に設定するものであった。しかしながら、表示される構図枠の形状及び大きさや、構図枠の個数、及び表示画面上の位置等は、撮影者が操作部材３２を操作して、撮影前に適宜定めることができるようにしても良い。
【００４９】
第２の実施の形態のデジタルカメラ２００は以下の作用効果を奏する。
（１）表示画面３１ａ上に構図枠４６ａ〜４６ｄを順次表示し、主要被写体像５２が構図枠４６ａ〜４６ｄのそれぞれと所定の一致度となった時に撮影を行うので、撮影者の意図に最も適った構図の被写体画像を確実に取得できる。
（２）移動方向指示部３３を設けて主要被写体の移動方向を指示するので、撮影者が意図する構図の撮影を効率良く行うことができる。これは、特に撮影者が自分自身を撮影する場合には便利である。
【００５０】
第２の実施の形態の変形例は以下の通りである。
（１）上記の実施の形態では、構図枠４６ａ〜４６ｄは同一のものを使用しているが、主要被写体像５２がカメラに対して近づいたり離れたりする場合や異なるポーズをとることもあり、これに対応するために、構図枠４６ａ〜４６ｄは、互いに大きさや形状が異なるものを用いることができる。
（２）主要被写体像の大きさが構図枠の大きさと大きく異なる場合には、第１の実施形態と同様に、撮影レンズ１１をズーミングして、主要被写体像の大きさを構図枠の大きさに合わせるようにすることもできる。
（３）上述の実施の形態では、主要被写体は被写体人物の顔部分であったが、顔データ記憶部２８に記憶されている顔データに加えて、例えば、犬データや猫データなどを記憶しておけば、犬や猫の主要被写体像が複数の構図枠に入る毎に、順次自動的に撮影を行うことができる。
【００５１】
−第３の実施の形態−
図７に示されるように、本発明の第３の実施の形態によるデジタルカメラ３００も基本構成は第１及び第２の実施形態のデジタルカメラ１００、２００と同じであるので、対応する構成部品には同一符号を付し説明を省略する。
【００５２】
画像処理部１５は合成画像作成部１５ａを有し、この合成画像作成部１５ａは、複数の撮影画像データからそれぞれ画像を抽出して、それらの抽出した複数の画像を一枚の画像に合成する。
自動焦点調節部２９は、撮影画面の全面にわたって極めて多数の焦点検出エリアを有し、各焦点検出エリアについて撮影レンズ１１の焦点調節を行うことができる。
【００５３】
構図枠設定部２１は、撮影画面上、即ち表示画面上で複数の構図枠を設定し、表示制御部２６は、これらの複数の構図枠を同時に表示することができる。具体的には、撮影者が操作部材３２を操作して、図２のツールパレット４２から所望の図形アイコン４２ａから４２ｄを選択して選択したアイコンを所定の位置までドラッグすると、構図枠設定部２１は、その所定の位置に構図枠を設定し、表示制御部２６が表示画面３１ａにその構図枠を表示する。この操作を繰り返すことによって、表示画面３１ａの複数の位置に構図枠を表示することができる。
なお、このような構図枠の表示操作は、ディスプレイ３１のタッチパネルを操作することによっても行うことができる。
【００５４】
以下に、デジタルカメラ３００の動作を説明する。
被写体のスルー画像がディスプレイ３１の表示画面３１ａに表示される。撮影者は、このスルー画像を観察しながら、スルー画像から複数の主要被写体像を選択し、操作部材３２を操作することによって、その選択した複数の主要被写体像に構図枠を設定する。
具体的には、操作部材３２を操作することによって、図２のツールパレット４２から所望の図形アイコン４２ａ〜４２ｄを選択し、選択したアイコンを選択した主要被写体像の位置までドラッグする。この操作を繰り返すことによって、構図枠設定部２１は、選択した複数の主要被写体像の全てにそれぞれに構図枠を設定し、表示制御部２６が表示画面３１ａの複数の主要被写体像の各々に重畳して構図枠を表示する。
図８は、表示画面３１ａに表示された複数の構図枠４７ａ〜４７ｆを示している。これらの構図枠４７ａ〜４７ｆは、上述のように撮影者が選択した複数の主要被写体像に重畳して表示される。
【００５５】
自動焦点調節部２９は、構図枠４７ａのエリアについて焦点調節動作を行い、この焦点調節動作が完了すると、撮影制御部２５が自動的に撮影動作を行う。これによって、構図枠４７ａに重畳する第１の主要被写体像に焦点調節された第１の画像データが得られ、それは画像記憶部１６に記録される。なお、自動焦点調節部２９が構図枠４７ａのエリアについて焦点調節している際には、その構図枠４７ａが他の構図枠４７ｂ〜４７ｆとは区別されるように、他とは異なった色に着色される。図８（ａ）は、この構図枠４７ａの着色をハッチングを施して示している。
【００５６】
第１の主要被写体について焦点調節された撮影が終了すると、自動焦点調節部２９は、図８（ｂ）に示すように、構図枠４７ｂを着色し、この構図枠４７ｂのエリアについて焦点調節動作を行い、この焦点調節動作が完了すると、撮影制御部２５が自動的に撮影動作を行う。これによって、構図枠４７ｂに重畳する第２の主要被写体像に焦点調節された第２の画像データが得られ、それは画像記憶部１６に記録される。
【００５７】
自動焦点調節部２９と撮影制御部２５は、上述の動作を繰り返して、図８（ｃ）〜図８（ｆ）に示したように、残りの構図枠４７ｃ〜４７ｆについて自動焦点調節動作と自動撮影動作とを行い、残りの第３の主要被写体像〜第６の主要被写体像に焦点調節された第３〜第６の画像データを得て、これらの画像データは、画像記憶部１６に記憶される。
【００５８】
合成画像作成部１５ａは、画像記憶部１６に記憶された第１の画像データから、構図枠４７ａの箇所、即ち第１の主要被写体の画像を切り取り、同様に、画像記憶部１６に記憶された第２の画像データ、第３の画像データ、第４の画像データ、第５の画像データ、第６の画像データからそれぞれ、第２の主要被写体の画像、第３の主要被写体の画像、第４の主要被写体の画像、第５の主要被写体の画像、第６の主要被写体の画像を切り取る。
合成画像作成部１５ａは、このようにして切り出された第１〜第６の主要被写体画像を例えば第１の画像データの背景画像、即ち主要被写体像を除去した画像に貼り付ける。図８（ｇ）は、こうして合成された６枚の主要被写体画像を示す。
このようにして得られた合成画像では、第１〜第６の主要被写体像の全てが鮮明に写されている。
本実施の形態によるデジタルカメラ３００によれば、例えば集合写真のように複数の主要被写体が存在し、これらの複数の主要被写体について被写体距離が異なる場合にも、全ての主要被写体にピントが合った鮮明な画像を得ることができる。
本発明は、その特徴を損なわない限り、以上説明した実施の形態に何ら限定されるものではない。
【符号の説明】
【００５９】
１１：撮影レンズ                      １３：撮像素子
１５：画像処理部                      １５ａ：合成画像作成部
１６：画像記録部                      １７：ＣＰＵ
２１：構図枠設定部                    ２２：顔検出部
２３：比較判定部                      ２４：ズーム制御部
２５：撮影制御部                      ２６：表示制御部
２９：自動焦点調節部                  ３１：ディスプレイ
３１ａ：表示画面（タッチパネル）      ３２：操作部材
３３：移動方向指示部                  ４１，４３：構図枠
４６ａ〜４６ｄ：構図枠                ４７ａ〜４７ｆ：構図枠
５１ａ〜５１ｃ、５２：主要被写体像    １００，２００，３００：デジタルカメラ
【図１】
0005640466.tif 000002
【図２】
0005640466.tif 000003
【図３】
0005640466.tif 000004
【図４】
0005640466.tif 000005
【図５】
0005640466.tif 000006
【図６】
0005640466.tif 000007
【図７】
0005640466.tif 000008
【図８】
0005640466.tif 000009